(57)【要約】【課題】  精米設備の白米タンクから精白米を袋で受ける際に、大袋及び小袋それぞれに適した精白米の排出を行うことを課題とする。【解決手段】  白米タンク（１０）の精白米排出部には、少量の精白米を排出するための少量排出用開口部（２７）と、多量の精白米を排出するための多量排出用開口部（２８）を設け、少量排出用開口部（２７）は開閉シャッタ（１９）に形成し、ペダル（１５）の踏み込みにより少量排出用開口部（２７）が開口し、ペダル（１５）をさらに踏み込むと多量排出用開口部（２８）が開口する。【選択図】  図４
2018051540.tif 000002
【特許請求の範囲】
【請求項１】
精米機（９）で精米した精白米を収容する白米タンク（１０）の底部に、白米タンク（１０）内の精白米を排出するための開閉シャッタ（１９）を備える精白米排出部を設け、
精白米排出部には、少量の精白米を排出するための少量排出用開口部（２７）と、多量の精白米を排出するための多量排出用開口部（２８）を設けたことを特徴とする精米設備。
【請求項２】
開閉シャッタ（１９）はペダル（１５）の踏み込みにより開動作する構成とし、少量排出用開口部（２７）は開閉シャッタ（１９）に形成し、ペダル（１５）の踏み込みにより少量排出用開口部（２７）が開口し、ペダル（１５）をさらに踏み込むと多量排出用開口部（２８）が開口する構成としたことを特徴とする請求項１記載の精米設備。
【請求項３】
精米機（９）で精米した精白米を収容する白米タンク（１０）の底部に、白米タンク（１０）内の精白米を排出するための開閉シャッタ（１９）を備える精白米排出部を設け、
開閉シャッタ（１９）はペダル（１５）の踏み込みにより開動作する構成とし、
開閉シャッタ（１９）は、少量排出用シャッタ（３０）と多量排出用シャッタ（３１）を設け、ペダル（１５）の踏み込みにより少量排出用シャッタ（３０）が開動作し、ペダル（１５）をさらに踏み込むと多量排出用シャッタ（３１）が開動作する構成としたことを特徴とする精米設備。
【請求項４】
精米機で精米した精白米を収容する白米タンク（１０）の底部に、白米タンク（１０）内の精白米を排出するための開閉シャッタ（１９）を備える精白米排出部を設け、
白米タンク（１０）の精白米排出部の下方に、精白米を受ける大袋（Ｈ）を載置する大袋用載置台（１２）を設け、前記大袋（Ｈ）より小さい小袋（ｈ）を載置する小袋用載置台（１３）を設け、
小袋用載置台（１３）は大袋用載置台（１２）と精白米排出部の間に入り込む小袋載置位置と、大袋用載置台（１２）と精白米排出部の間から退避する退避位置とに切換え可能に構成し、
小袋載置台（１３）を小袋載置位置に切り換えると、開閉シャッタ（１９）の開動作範囲を規制する規制体（３４）を設けることを特徴とする精米設備。
【発明の詳細な説明】
【技術分野】
【０００１】
本発明は、料金を投入して精米する精米設備に関する。
【背景技術】
【０００２】
特許文献１及び特許文献２には、精米機で精米した精白米を収容する白米タンクの底部に開閉シャッタを設け、ペダルを踏むと開閉シャッタが開いて精白米が排出し、利用者が持参した大袋で受ける精米設備が記載されている。
【０００３】
特許文献３には、大袋より小さい小袋を載置するための折り畳み式の小袋用載置台を備える精米設備が記載されている。
【先行技術文献】
【特許文献】
【０００４】
【特許文献１】特開２０００−２７１４９９号公報
【特許文献２】特開２００６−２８９１８６号公報
【特許文献３】特許第４４７３１７６号
【発明の概要】
【発明が解決しようとする課題】
【０００５】
精白米を大袋で受ける場合も小袋で精白米を受ける場合も開閉シャッタの開動作は同じなので、小袋の時に一度に多量の精白米が流れ込み、小袋で受け難い場合がある。
【０００６】
本発明は、精白米を大袋で受ける場合と小袋で受ける場合の双方に適した精米設備を提供することを課題とする。
【課題を解決するための手段】
【０００７】
かかる課題を解決するために、請求項１記載の発明は、
精米機（９）で精米した精白米を収容する白米タンク（１０）の底部に、白米タンク（１０）内の精白米を排出するための開閉シャッタ（１９）を備える精白米排出部を設け、
精白米排出部には、少量の精白米を排出するための少量排出用開口部（２７）と、多量の精白米を排出するための多量排出用開口部（２８）を設けたことを特徴とする精米設備とする。
【０００８】
請求項２記載の発明は、
開閉シャッタ（１９）はペダル（１５）の踏み込みにより開動作する構成とし、少量排出用開口部（２７）は開閉シャッタ（１９）に形成し、ペダル（１５）の踏み込みにより少量排出用開口部（２７）が開口し、ペダル（１５）をさらに踏み込むと多量排出用開口部（２８）が開口する構成としたことを特徴とする請求項１記載の精米設備とする。
【０００９】
請求項３記載の発明は、
精米機（９）で精米した精白米を収容する白米タンク（１０）の底部に、白米タンク（１０）内の精白米を排出するための開閉シャッタ（１９）を備える精白米排出部を設け、
開閉シャッタ（１９）はペダル（１５）の踏み込みにより開動作する構成とし、
開閉シャッタ（１９）は、少量排出用シャッタ（３０）と多量排出用シャッタ（３１）を設け、ペダル（１５）の踏み込みにより少量排出用シャッタ（３０）が開動作し、ペダル（１５）をさらに踏み込むと多量排出用シャッタ（３１）が開動作する構成としたことを特徴とする精米設備とする。
【００１０】
請求項４記載の発明は、
精米機で精米した精白米を収容する白米タンク（１０）の底部に、白米タンク（１０）内の精白米を排出するための開閉シャッタ（１９）を備える精白米排出部を設け、
白米タンク（１０）の精白米排出部の下方に、精白米を受ける大袋（Ｈ）を載置する大袋用載置台（１２）を設け、前記大袋（Ｈ）より小さい小袋（ｈ）を載置する小袋用載置台（１３）を設け、
小袋用載置台（１３）は大袋用載置台（１２）と精白米排出部の間に入り込む小袋載置位置と、大袋用載置台（１２）と精白米排出部の間から退避する退避位置とに切換え可能に構成し、
小袋載置台（１３）を小袋載置位置に切り換えると、開閉シャッタ（１９）の開動作範囲を規制する規制体（３４）を設けることを特徴とする精米設備とする。
【発明の効果】
【００１１】
本発明により、大袋及び小袋それぞれに適した精白米の排出を行うことができる。
【図面の簡単な説明】
【００１２】
【図１】正面から見た客室を示す図
【図２】平面から見た精米設備の内部を示す図
【図３】精米設備の作業工程図
【図４】開閉シャッタの開閉動作を示す図
【図５】開閉シャッタの開閉動作を示す部分拡大図
【図６】開閉シャッタの形状を示す模式図
【図７】開閉シャッタの開閉動作を示す模式図
【図８】正面から見た開閉シャッタの開閉機構を示す部分拡大図
【図９】開閉シャッタの開閉動作を示す部分拡大図
【図１０】開閉シャッタの開閉動作を示す部分拡大図
【図１１】精米設備の制御ブロック図
【発明を実施するための形態】
【００１３】
本発明の実施の形態の料金式精米設備について以下説明する。
【００１４】
図２に示すように建屋１を仕切壁２で前後方向に機械室３と客室４に仕切る。本実施例では客室４側を前側と呼び機械室３側を後側と呼ぶ。
【００１５】
利用者が持参した玄米を収容する投入ホッパ５と、投入ホッパ５内の玄米を繰り出すロータリバルブ６と、玄米を揚穀する昇降機７と、玄米から石を抜く石抜機８と、玄米を精米する精米機９と、精白米を収容する白米タンク１０を設ける。
【００１６】
投入ホッパ５と白米タンク１０は客室４側に設け、昇降機７・石抜機８・精米機９は機械室３側に設ける。投入ホッパ５は客室４の左右一側に設け、白米タンク１０は客室４の左右他側に設ける。投入ホッパ５と白米タンク１０の間には運転スイッチ２５及び料金を投入する料金投入口２６を設ける。
【００１７】
図１及び図４に示すように、仕切壁２に機械室３側に凹む空間部１１を形成し、該空間部１１に白米タンク１０を設けている。空間部１１は白米タンク収容室と呼んでも良い。白米タンク１０の底部の精白米排出部１４には開閉シャッタ１９を設ける。開閉シャッタ１９は白米タンク１０よりも左右外側に配置するペダル１５とリンク機構で連結している。ペダル１５の基部を仕切壁２に取り付け、横軸芯に回動自在に構成する。ペダル１５の途中部に第一リンク軸１６の下端部を連結する。第一リンク軸１６は斜め後ろ上がりに延びる構成とし、その上端部を回動プレート１７と連結する。回動プレート１７の基部には左右方向に延びる第二リンク軸１８の一端部を連結し、第二リンク軸１８に開閉シャッタ１９を連結する。そして、回動プレート１７には引っ張り側に付勢するスプリング２０を設けている。開閉シャッタ１９は底部１９ａを円弧形状に形成すると共に、左右側面部１９ｂを略扇形に形成する。そして、上端部を支点に横軸芯に前後方向に回動可能に構成する。
【００１８】
開閉シャッタ１９の動作について図４に基づいて説明する。
【００１９】
ペダル１５を踏むと第一リンク軸１６がスプリング２０及び回動プレート１７を下方に引っ張る。すなわち、回動プレート１７は第二リンク軸１８を軸心にして下方に向かって回動する。そして、第二リンク軸１８が回動プレート１７と共に回動することで、開閉シャッタ１９が開側に回動する。ペダル１５を離すとスプリング２０の戻り作用で回動プレート１７及び第一リンク軸１６を引っ張り、初期位置に戻す。すると、第二リンク軸１８も戻り側に回動し、開閉シャッタ１９が閉側に回動する。
【００２０】
白米タンク１０の下方で空間部１１の下端部には利用者が持参した大袋Ｈを載置する大袋用載置台１２を設けている。また、空間部１１を形成する仕切壁２に小袋用載置台１３の後端部を取り付ける。小袋用載置台１３は後端部を支点に横軸芯に回動自在に構成し、仕切壁２に沿う姿勢の退避位置と白米タンク１０の開閉シャッタ１９と大袋用載置台１２との間に入り込む小袋載置位置に切換可能に構成している（図４参照）。
【００２１】
この実施の形態で大袋Ｈとは白米タンク１０の容量である約３０ｋｇの玄米を収容できる容量の袋であり、小袋ｈとは１０ｋｇ以下の玄米を収容できる容量の袋を指す。
【００２２】
次に、精米運転について説明する。
【００２３】
玄米を収容した袋を持参した利用者は料金投入口２６に料金を投入し、投入ホッパ５に玄米を投入する。そして、運転スイッチ２５を操作すると、機械室３側の装置各部は駆動を開始する。投入ホッパ５内の玄米はロータリバルブ６及び昇降機７で石抜機８に搬送されて石抜き処理される。そして、精米機９に搬送されて精米処理され、順次白米タンク１０内に精白米が収容される。
【００２４】
利用者が持参した袋が大袋Ｈの場合には、大袋用載置台１２に大袋Ｈを載置し、ペダル１５を踏むと開閉シャッタ１９が開いて精白米が排出され、大袋Ｈに収容される。
【００２５】
利用者が持参した袋が小袋ｈの場合には、利用者が小袋用載置台１３を退避位置から小袋載置位置に回動させ、小袋ｈを小袋用載置台１３に載置してペダル１５を踏み、精白米を小袋ｈに収容する。
【００２６】
小袋ｈに精白米を収容する場合に、開閉シャッタ１９の開度が大きいと、単位時間当たりに排出される玄米量が多く、精白米が小袋ｈから毀れて客室３内に散乱し易い。開閉シャッタ１９はペダル１５の踏み量に応じて開度が変わるので、大袋Ｈ・小袋ｈに適した踏み量にすることが可能である。しかし、特に少量を小袋ｈに排出する時には利用者が踏み量を調節し難いので、本実施の形態において、より、小袋ｈに精白米を収容し易い構成にしている。
【００２７】
まず、開閉シャッタ１９の底部１９ａに少量排出用開口部２７を形成する。具体的には、円弧部の前端に切り欠きを形成する。少量排出用開口部２７は開閉シャッタ１９全閉時には白米タンク１０の精白米排出部に形成するフランジ部２９と重なっているため、少量排出用開口部２７から精白米は排出されない。利用者がペダル１５を少し踏むと開閉シャッタ１９が少し後方に回動し、少量排出用開口部２７がフランジ部２９から離れることで、少量排出用開口部２７から精白米が排出される。そして、さらにペダル１５を踏み込むにつれて開閉シャッタ１９の底部１９ａの前端部がフランジ部２９から離れて多量排出用開口部２８の開口面積が大きくなり、多量の精白米が排出される。精白米排出開始時に精白米が排出される量を少量に規制することが可能になり、落下排出する精白米を小袋ｈで受けるときに、小袋ｈから毀れにくく精白米を収容し易い。切り欠きの形状は、図６に示すように四角形状でも良いし、あるいは半円形状や三角形状でも良い。
【００２８】
開閉シャッタ１９を第一開閉シャッタ３０と第二開閉シャッタ３１の構造とし、第二開閉シャッタ３１の下部にストッパ３２を形成する構成でも良い。この構成によると、ペダル１５を踏むと第一開閉シャッタ３０がまず回動することで、少量の精白米が排出される開口面積（少量排出用開口部２７）になる。さらに、ペダル１５を踏み込むと第一開閉シャッタ３０がストッパ３２に当接して第一開閉シャッタ３０と第二開閉シャッタ３１が共に開動作されることで、多量の精白米が排出される開口面積（多量排出用開口部２８）となる。少量排出用開口部２７が開くことを半開と呼び、多量排出用開口部２８が開くことを全開と呼んでも良い。また、前記半開を一部開と呼んでも良い。
【００２９】
また、小袋用載置台１３を小袋載置位置にあることを検出する検出手段３３を設けると共に開閉シャッタ１９の開度を規制する規制手段３４を設けても良い。すなわち、検出手段３３が小袋用載置台１３が小袋載置位置にあること検出すると、規制手段３４が作動し、開閉シャッタ１９の開度を少量排出用開口部２７の領域に規制する構成でも良い。図の実施例では、検出手段はリミットスイッチ等のセンサ、規制手段はソレノイドであるが、その他のセンサやアクチュエータでも良い。
【００３０】
また、小袋用載置台１３と開閉シャッタ１９をリンク機構で連結し、小袋用載置台１３を小袋載置位置に切り換えるとリンク機構が作動し、開閉シャッタ１９の開度を少量排出用開口部２７の領域に規制する構成でも良い。
【００３１】
次に電気的なアクチュエータで開閉動作を行う開閉シャッタ１９について図８と図９に基づいて説明する。
【００３２】
開閉シャッタ１９の回動軸４０が開閉シャッタ１９の左右両側に突出する構成とし、該左右両側に突出する回動軸４０の部分に半開用回動プレート４１と、全開用回動プレート４２を取り付ける。半開用回動プレート４１のプレート面に対向する位置に半開用ソレノイド４３を設け、全開用回動プレート４２のプレート面に対向する位置に全開用ソレノイド４４を設ける。また、回動軸４０には開閉シャッタ１９を閉側に付勢するスプリング４５を取り付けている。半開用ソレノイド４３の駆動ストロークより全開用ソレノイド４４の駆動ストロークを長く構成する。ソレノイド４３，４４及び回動プレート４１，４２の周囲を保護カバー４６で覆う構成としている。
【００３３】
白米タンク１０の下部は傾斜面１０ａに形成されており、半開用ソレノイド４３及び全開用ソレノイド４４は該傾斜面１０ａの下方に備えている。ソレノイドのハーネスは図示はしないが、白米タンク１０の傾斜面１０ａに沿って設け、仕切壁２を貫通し、制御部Ｓやペダル１５と通電する構成である。ハーネスの外側はカバーで覆っても良い。
【００３４】
また、ペダル１５の踏み込み位置を検出する踏み込み位置検出センサ４７（ポテンショメータや近接スイッチ等）を設け、該センサ４７はペダル１５の半開位置と全開位置を検出できるようにする。
【００３５】
踏み込み位置検出センサ４７が踏み込み半開位置までペダル１５が踏み込まれたことを検出すると、半開用ソレノイド４３が駆動し、半開用回動プレート４１を押し、開閉シャッタ１９を半開位置にする。また、半開位置からさらにペダル１５が踏み込まれ、踏み込み位置検出センサ４７が全開位置までペダルが踏み込まれたことを検出すると、全開用ソレノイド４４が駆動し、全開用回動プレート４２が押されて開閉シャッタ１９が全開になる。ペダル１５から足を離すと全開用ソレノイド４４及び半開用ソレノイド４３が順次初期位置に退避する。すると、スプリング４５の作用で開閉シャッタ１９が全閉位置に戻る。
【００３６】
白米タンク１０の下部に設定量以上の精白米の有無を検出する精白米検出センサ４８を設け、精白米検出センサ４８が精白米有を検出できない時には、ペダル１５を踏んだ時には半開用ソレノイド４３を駆動可能とし、踏み込み位置検出センサ４７がペダル１５の踏み込み位置を全開位置であると検出しても全開用ソレノイド４４の駆動を規制する。これにより、白米タンク１０内に設定量未満（少量）の精白米しか収容されていない時には少量ずつ排出することで、袋に精白米を収容し易くすることができる。小袋用載置台１３が小袋載置位置にあることを検出すると、全開用ソレノイド４４の駆動を規制する構成でも良い。
【００３７】
なお、半開用ソレノイド４３と全開用ソレノイド４４は伸長するストロークの違いだけなので、図９については半開の動作の図示を省略している。
【００３８】
図１０に基づく開閉シャッタ１９の開閉動作について説明する。
【００３９】
全開用ソレノイド４４と全開用回動プレート４２は図９と共通である。開閉シャッタ１９の後部に半開用ストッパ５０を取り付け、半開用ソレノイド４３を設けている。半開用ソレノイド４３が駆動すると、半開用ソレノイド４３が半開用ストッパ５０の回動領域に入り込み、全開用ソレノイド４４の駆動により、開閉シャッタ１９が開動作した時に、半開用ソレノイド４３が半開用ストッパ５０に当接し、開閉シャッタ１９の全開への動作が規制される。
【００４０】
本実施の形態の電気的に開閉シャッタ１９を開閉する構成により、ペダル１５と開閉シャッタ１９とをリンク機構で連結する必要がなく、白米タンク１０を収容する空間部１２における袋の収容作業を行い易くすることができる。
【００４１】
本実施の形態の開閉シャッタ１９は横軸芯前後方向に回動動作する構成について説明しているが、回動動作方向や開閉構造はこれに限られず、開度を調節できる機構であればよい。
【００４２】
図示はしないが、ペダル１５は半開用ペダルと全開用ペダルそれぞれを設ける構成としても良い。また、手動で操作する半開用スイッチと全開用スイッチと全閉用スイッチを設ける構成としても良い。
【００４３】
半開用ソレノイド４３及び全開用ソレノイド４４は半開用操作部材及び全開用操作部材と言い換えても良い。
【００４４】
本実施の形態の精米設備は図１１に示す制御部Ｓで制御される。
【符号の説明】
【００４５】
１  建屋
２  仕切壁
４  客室
９  精米機
１０  白米タンク
１１  空間部
１２  大袋用載置台
１３  小袋用載置台
１５  ペダル
１９  開閉シャッタ
２７  少量排出用開口部
２８  多量排出用開口部
３０  少量排出用シャッタ（第一開閉シャッタ）
３１  多量排出用シャッタ（第二開閉シャッタ）
４０  回動軸
４１  半開用回動プレート
４２  全開用回動プレート
４３  半開用ソレノイド
４４  全開用ソレノイド
４６  保護カバー
Ｈ  大袋
ｈ  小袋
【図１】
2018051540.tif 000003
【図２】
2018051540.tif 000004
【図３】
2018051540.tif 000005
【図４】
2018051540.tif 000006
【図５】
2018051540.tif 000007
【図６】
2018051540.tif 000008
【図７】
2018051540.tif 000009
【図８】
2018051540.tif 000010
【図９】
2018051540.tif 000011
【図１０】
2018051540.tif 000012
【図１１】
2018051540.tif 000013